(57)【要約】【課題】  戸外の冷気を室外機で取り込み、ヒーターで温めながら、室内機にエアホースで導くような大掛かりな機器を必要とせず、既存のファンヒーターやエアコンに装着することで電力を消費することなく加湿機能を持たせることができる加湿器具を提供する。【解決手段】  加湿器具は、導水容器１０内の水２に浸した木炭ボード８を、暖房装置９の吹き出し口９ａに対向して配設させ、貫通孔８ｃを覆って、木炭ボード８の背面８ｂに間隙１２を介して伝導部材１１を配設する【選択図】        図５
2007278576.tif 000002
【特許請求の範囲】
【請求項１】
暖房装置の吹き出し口に対向して表面を配置し、当該表面に対向する背面及び当該表面間を貫通する貫通孔を有する調湿ボードと、
前記貫通孔を少なくとも覆って、前記調湿ボードの背面に間隙を介して配設する伝導部材と、
前記調湿ボードの一部を内部に配設する導水容器と、
前記導水容器に対して上側であり、内部に水を溜めることができる給水槽と、
前記導水容器内に一端を配置し前記給水槽内に他端を配置する内管、及び両端を除いて当該内管を内包する外管からなるノズルと
を備えたことを特徴する加湿器具。
【請求項２】
前記請求項１に記載の加湿器具において、
前記伝導部材は、押え金具によって前記調湿ボードの上面で固定され、
前記貫通孔は前記導水容器の長手方向と一致する方向に沿って形成していることを特徴とする加湿器具
【請求項３】
前記請求項１又は２に記載の加湿器具において、
前記伝導部材はメッシュ状の部材であることを特徴とする加湿器具。
【請求項４】
前記請求項３に記載の加湿器具において、
前記メッシュ状の部材は金属部材であることを特徴とする加湿器具。
【請求項５】
前記請求項１乃至４に記載の加湿器具において、
前記内管の外面に撥水性の高い合成樹脂を塗布していることを特徴とする加湿器具。
【請求項６】
前記請求項１乃至５に記載の加湿器具において、
前記暖房装置の両側面に固定され、前記導水容器の両端をそれぞれ貫通し支持する固定板と、
前記導水容器を支点として回動自在に当該固定板に取り付けられ、長手方向に摺動できる支持金具によって前記給水槽を支持する回転板とを備え、
前記回転板は前記固定板に形成している対向部によって挿脱自在に挟持され、
前記支持金具は上端から反固定板側に突設した凸部を有し、前記対向部は上端に前記凸部に嵌脱自在に嵌合する凹部を有していることを特徴する加湿器具。
【請求項７】
前記請求項１乃至６に記載の加湿器具において、
前記調湿ボードが木炭ボード、竹炭ボード又は素焼ボードであることを特徴する加湿器具。
【発明の詳細な説明】
【技術分野】
【０００１】
この発明は、暖房機能があるエアコンやファンヒーターなどの暖房装置の吹き出し口に取り付ける加湿器具に関する。
【背景技術】
【０００２】
従来の空調機用簡易加湿器おいては、ヒートポンプ式暖房機の前にカーテンを張り、その下に水を蓄えた器を備え、その器に一定の水が蓄えられるように、使用済みのペットボトルに工夫を加えて自然給水し、暖房機の送風機を利用してカーテンの水分を蒸発させて部屋を加湿させる（例えば、特許文献１参照）。
【０００３】
また、ルームエアコンの吹き出し口に２本のパイプを置き、その上に蒸発媒体を渡して張り、その蒸発媒体が、常時、水を蓄えられるように、使用済みのペットボトルで自然給水し、暖房機として運転中に蒸発媒体の水分を蒸発させて部屋を加湿させる（例えば、特許文献２参照）。
【特許文献１】特開２００２−２４３２２２号公報（第３頁、図３）
【特許文献２】登録実用新案第３０８８７９９号公報（第６頁−第８頁、図５）
【発明の開示】
【発明が解決しようとする課題】
【０００４】
前述した特許文献１及び特許文献２に記載された以外に、従来の加湿器は、戸外の冷気を室外機で取り込み、ヒーターで温めながら、室内機にエアホースで導く方式がある。
この方式は、加湿モードにした場合に、室内機の吹き出し口から強い冷気が吹き出されることがあり、そのうえ、必要以上の強制的な換気を行うために、温められた室内の空気が室外に排出されて、ヒーターの加熱に余分な電力を消費してしまうという問題点があった。
【０００５】
この発明は、上述のような課題を解決するためになされたもので、前述した特許文献１及び特許文献２に記載された以外の手段であり、電気回路を使用することなく既存のファンヒーターやエアコンに装着することで加湿機能を持たせることができる加湿器具を提供することを目的とする。
【課題を解決するための手段】
【０００６】
この発明に係る加湿器具においては、暖房装置の吹き出し口に対向して表面を配置し、表面に対向する背面及び表面間を貫通する貫通孔を有する調湿ボードと、貫通孔を少なくともを覆って、調湿ボードの背面に間隙を介して配設する伝導部材と、調湿ボードの一部を内部に配設する導水容器と、導水容器に対して上側であり、内部に水を溜めることができる給水槽と、導水容器内に一端を配置し給水槽内に他端を配置する内管、及び両端を除いて内管を内包する外管からなるノズルとを備えたものである。
【０００７】
また、この発明に係る加湿器具においては、必要に応じて、貫通孔は導水容器の長手方向と一致する方向に沿って形成しているものである。
また、この発明に係る加湿器具においては、必要に応じて、伝導部材はメッシュ状の部材である。
さらに、この発明に係る加湿器具においては、必要に応じて、メッシュ状の部材は金属部材である。
また、この発明に係る加湿器具においては、必要に応じて、内管の外面に撥水性の高い合成樹脂を塗布しているものである。
【０００８】
また、この発明に係る加湿器具においては、必要に応じて、暖房装置の両側面に固定され、導水容器の両端をそれぞれ貫通し支持する固定板と、導水容器を支点として回動自在に固定板に取り付けられ、給水槽を支持金具によって固定する回転板とを備え、回転板は固定板に形成している対向部によって挟持され、支持金具は上端から反固定板側に突設した凸部を有し、対向部は上端に凸部に嵌合する凹部を有しているものである。
さらに、この発明に係る加湿器具においては、必要に応じて、調湿ボードが木炭ボード、竹炭ボード又は素焼ボードである。
【発明の効果】
【０００９】
この発明は、加湿器具が、暖房装置の吹き出し口に対向して表面を配置し、表面に対向する背面及び表面間を貫通する貫通孔を有する調湿ボードと、貫通孔を少なくともを覆って、調湿ボードの背面に間隙を介して配設する伝導部材と、調湿ボードの一部を内部に配設する導水容器と、導水容器に対して上側であり、内部に水を溜めることができる給水槽と、導水容器内に一端を配置し給水槽内に他端を配置する内管、及び両端を除いて内管を内包する外管からなるノズルとを備えたことにより、暖房装置の吹き出し口から吹き出された温風によって、調湿ボードが含んだ水分を調湿ボードの表面で気化させ、さらに、調湿ボードの表面に到達する温風のうち、一部の温風を貫通孔から調湿ボードの背面と伝導部材との間隙に送風させ、調湿ボードの背面と伝導部材との間隙を伝播させることで、調湿ボードが含んだ水分を調湿ボードの背面でも気化させることができるので、効率よく室内に対して加湿することができる。また、貫通孔は、暖房装置の吐き出し口から調湿ボードの背面に抜ける調和空気の貫通流量を増加させるうえに、調湿ボードの過多な水分の吸い上げを抑制することができる。また、伝導部材は、調湿ボードの強度を補強するうえに、調湿ボードからの水分の蒸発を促進することができる。
【００１０】
また、この発明に係る加湿器具においては、必要に応じて、伝導部材は、押え金具によって調湿ボードの上面で固定され、貫通孔は導水容器の長手方向と一致する方向に沿って形成していることにより、調湿ボードの上面側にある押え金具に到達する過多な水分の吸い上げを抑制することができ、押え金具を伝って、押え金具の端部の最下点、すなわち調湿ボードの背面側であり押え金具と伝導部材との境界から床に落下する水滴の発生を抑制することができる。
【００１１】
また、この発明に係る加湿器具においては、必要に応じて、伝導部材はメッシュ状の部材であることにより、調湿ボードの背面で気化した水蒸気を伝導部材の網目を通過して室内に拡散することができる。
また、この発明に係る加湿器具においては、必要に応じて、メッシュ状の部材は金属部材であることにより、熱伝導率がよい金属部材により、温風による熱を背面８ｂの全面に効率よく伝導することができる。
【発明を実施するための最良の形態】
【００１２】
本発明の第１の実施形態
図１はこの発明を実施するための第１の実施形態における加湿器具を示す概略構成図、図２は図１に示す加湿器具の矢視ＩＩ−ＩＩ線の部分断面図、図３は図１に示すノズルの拡大図、図４（ａ）は木炭ボードを表面側からみた平面図、図４（ｂ）は図４（ａ）に示す木炭ボードの矢視Ａ−Ａ線の部分断面図、図５はこの発明を実施するための第１の実施形態における加湿器具をエアコンに取り付けた例を示した斜視図、図６は図５に示す加湿器具をエアコンに取り付けるための取り付け用具を示す概略構成図、図７は図６に示す取り付け用具である回転板を回転させた状態を示した説明図である。以下、対象物に対して、床側を下側、下面、下部又は下端とし、反床側を上側、上面、上部又は上端として、第１の実施形態を説明する。
【００１３】
図１〜７において、給水槽１は内部に水２を溜めることができる容器であり、この第１の実施形態においては、使用済みのペットボトルを再利用している。
ノズル３は、直線形状の内管４と、内管４の両端を除いて内管４を内包する外管５とからなり、内管４の外面には撥水性の高い合成樹脂を塗布している。
【００１４】
掛止具６は、内管４と外管５とを同心円状に保持するように、外管５の両端を内管４にそれぞれ掛止している。なお、内管４の外面と外管５の内面と掛止具６とで挟まれた領域は密閉されておらず、掛止具６に細孔７を形成する、又は掛止具６もしくは外管５に切欠きを設けて掛止具６と内管４もしくは外管５とで隙間を形成している。また、加工しやすく錆びない真鍮製の掛止具６を用いている。
【００１５】
木炭ボード８は、既存の木炭を主成分とする多孔質のボードを使用しており、例えば、木炭を天然繊維（セルロース、コラーゲン）をバインダー材として成形したボード、炭化温度の異なる炭を細粒化したものに、酸化カルシウムやアルギン酸などを混合し、デンプン糊で固めて成型加工したボードなどが挙げられる。
【００１６】
また、木炭ボード８は、直方体形状であり、暖房機能があるエアコンやファンヒーターなどの暖房装置９の吹き出し口９ａに対向して表面８ａを配置し、表面８ａに対向する背面８ｂ及び表面８ａ間を貫通する貫通孔８ｃを有している。また、貫通孔８ｃは、木炭ボード８の長手方向に沿って複数の孔を形成しており、後述する導水容器１０の長手方向と一致する方向に沿って複数の孔を形成している。なお、この第１の実施形態においては、暖房装置９としてエアコンに加湿器具を取り付けた例を示している。
【００１７】
また、この第１の実施形態においては、貫通孔８ｃは、木炭ボード８の表面８ａ及び背面８ｂに対して垂直に貫通した円柱形状としているが、この形状に限られるものではなく、暖房装置９の吹き出し口９ａからの温風を貫通孔８ｃによって背面８ｂ側に導ければよい。また、貫通孔８ｃの形状、大きさ及び個数は任意に設定すればよく、貫通孔８ｃを通過する温風の流量を調節することも可能である。
【００１８】
導水容器１０は、暖房装置９の吹き出し口９ａに対応する長さをもつ容器であり、暖房装置９の吹き出し口９ａの延在方向にほぼ平行に配設されている。なお、この第１の実施形態においては、加工しやすいうえに、軽くて耐食性があるアルミニウム製の管を用いている。
導水容器１０の上部には、導水容器１０の長手方向に沿って木炭ボード８の下面８ｄを挿入するためのスリット１０ａと、ノズル３の一端を挿入するための導水口１０ｂとを形成している。
【００１９】
導水容器１０のスリット１０ａに挿入した木炭ボード８は、暖房装置９の吹き出し口９ａに表面８ａが対向するように、木炭ボード８の下面８ｄが木炭ボード８の上面８ｅよりも暖房装置９側になるように傾けて導水容器１０に固定されている。なお、この第１の実施形態においては、木炭ボード８の表面８ａが、暖房装置９の吹き出し口９ａから前方約２０ｃｍの距離となるように、木炭ボード８を配設しているが、この距離に限られるものではない。
【００２０】
また、導水容器１０のスリット１０ａの幅又は長さを利用して、暖房装置９の吹き出し口９ａに対する木炭ボード８の表面８ａの傾き又は位置を調節することで、暖房装置９の吹き出し口９ａからの温風の気流を変えることもできる。
また、導水容器１０は、給水槽１に対して下側に配設しており、導水容器１０内にノズル３の一端を配置し、給水槽１内にノズル３の他端を配置することで、給水槽１に溜めた水２をノズル３によって導水容器１０に給水する。
【００２１】
導水容器１０内には、ある程度の水位を有し、木炭ボード８の下面８ｄが導水容器１０内の水２に浸されている。
伝導部材１１は、木炭ボード８の貫通孔８ｃを少なくとも覆って、木炭ボード８の背面８ｂに間隙１２を介して配設するように、押え金具１３によって木炭ボード８の上面８ｅ側で固定されている。
【００２２】
なお、伝導部材１１としては、暖房装置９の吹き出し口９ａからの温風が、貫通孔８ｃを通過し、木炭ボード８の背面８ｂと伝導部材１１との間隙１２を伝播させる部材であればよいが、メッシュ状の部材を用いることで、木炭ボード８の背面８ｂで気化した水蒸気を伝導部材１１の網目を通過して室内に拡散することができる。特に、メッシュ状の部材を熱伝導率がよい金属部材とすることで、温風による熱を背面８ｂの全面に効率よく伝導することができるので好ましい。
【００２３】
また、木炭ボード８の背面８ｂ側の伝導部材１１における貫通孔８ｃに対応する位置に、温風を遮障する部材を配設することで、貫通孔８ｃを通過した温風が伝導部材１１を通過することを遮り、木炭ボード８の背面８ｂに温風を分散し、加湿効果を高めることができる。特に、遮障部材を蓄光塗料で着色することで、暗色の木炭ボード８に対して視覚を通じて美感を起こさせる。
【００２４】
また、木炭ボード８の表面８ａには暖房装置９の吹き出し口９ａからの温風が直接当たるために、表面８ａに伝導部材１１を配設する必要はないが、メッシュ状の金属部材を用いることで、網目を通過して表面８ａに温風が直接当たることができるうえに、金属部材によって表面８ａの全面に温風から得た熱を伝導することができる。また、側面８ｄ、上面８ｅ及び側面８ｆについても同様に、メッシュ状の金属部材を配設させてもよい。
【００２５】
なお、この第１の実施形態においては、伝導部材１１として、３６番線を１インチ幅５０目の網目をもつメッシュ状でステンレス製の部材を、木炭ボード８の表面８ａ及び背面８ｂに配設した。また、表面８ａ及び背面８ｂに配設した伝導部材１１を架橋するように下面８ｄに伝導部材１１を配設することで、木炭ボード８と背面８ｂとの間隙１２を保持している。また、伝導部材１１は木炭ボード８の強度を補強する効果もある。
【００２６】
固定板１４は、暖房装置９の前面を除いて少なくとも両側面にそれぞれ固定され、導水容器１０の両端をそれぞれ貫通し、支持している。また、固定板１４には後述する回転板１６を挿脱自在に挟持するように対向部１５を形成している。また、後述する支持金具１７の上端から反固定板１４側に突設した凸部１７ａと嵌脱自在に嵌合する凹部１５ａを対向部１５の上端に凹設している。なお、この第１の実施形態においては、対向部１５の上端から凹部１５ａの深さは、２５ｍｍ程度としたが、この凹部１５ａの深さに限られるものではなく、導水容器１０の導水口１０ｂから導水容器１０内の定位置にあるノズル３の下端（ここでは、導水容器１０内の中心）までの長さと一致するように凹部１５ａの深さを設定することで、凹部１５ａとの嵌合を外すような上側への凸部１ａのスライドに追従して、ノズル３の下端が導水容器１０の導水口１０ｂから現われることとなる。また、固定板１４を暖房装置９に固定するには、例えば、螺子を使って強固に固定してもよいし、暖房装置９の側面と固定板１４とを両面粘着テープで貼り付け、紐を使って暖房装置９の上面から固定板１４又は回転板１６を吊り下げてもよい。
【００２７】
回転板１６は、固定板１４を貫通する導水容器１０を支点として回動自在に固定板１４に取り付けられており、回転板１６の長手方向に摺動できる支持金具１７によって給水槽１を着脱自在に支持している。
【００２８】
なお、この第１の実施形態においては、固定板１４及び回転板１６を用いて、暖房装置９に加湿器具を取り付けているが、加湿器具の木炭ボード８を暖房装置９の吹き出し口９ａに対向させ、給水槽１を導水容器１０に対して上側に配設できるのであれば、これらの取り付け用具に限られるものではない。
【００２９】
つぎに、この第１の実施形態における加湿器具の動作について説明する。
まず、給水槽１であるペットボトル内が満水になるように水２を注入し、ノズル３の内管４及び外管５を貫通する栓１ａでペットペットボトルに蓋をする。
なお、図６及び図７に示すように、前述した取り付け用具で支持されたペットボトルに水２を注入する場合には、支持金具１７を上側に２５ｍｍ程度持ち上げることで、ノズル３の下端が導水容器１０の導水口１０ｂから現われると共に、ペットボトルの支持金具１７の凸部１７ａが対向部１５の凹部１５ａから外れる。これにより、回転板１６をペットボトルと共に前方に１６０度回転させることができる。ペットボトルを片手で支えながら、支持金具１７からペットボトルを外す。ペットボトルから栓１ａを外しペットボトルに水２を注いで満水にする。
【００３０】
ペットボトルを満水にしたら、栓１ａで蓋をして、前方に１６０度回転させた支持金具１７に挿入し、元の位置に戻すように上側に１６０度回転させるのであるが、回転板１６を上側に回転すると、支持金具１７の凸部１７ａが対向部１５に接触する。ここで、支持金具１７を上側に２５ｍｍ程度持ち上げて更に回転板１６を回転すると、支持金具１７の凸部１７ａが対向部１５の凹部１５ａに嵌合して安定する。この場合に、ペットボトルを回転板１６の支点側にスライドさせてノズル３の下端を導水容器１０の導水口１０ｂに導き、ノズル３の下端を導水容器１０の中心に位置させる。
【００３１】
なお、栓１ａを下側にしてペットボトルを逆にすると、ノズル３の下端から水２が落下し、ペットボトル内が真空になったところで、水２の排出が止まる。
さらに、ペットボトルを加圧すると、ペットボトルの水は内管４と外管５とを通り排出される。つぎに、ペットボトルに対する加圧状態から開放すると、ペットボトルの材質の反発力で、ペットボトル内が軽度の真空状態になり、外気が外管５と内管４との隙間を通って浸入する。これにより、外気による気泡がペットボトル内に間欠的に浸入してペットボトル内の真空状態を解消しつつ、水２は内管４の先端から継続的に排出される。
【００３２】
ペットボトルの水２が内管４を通して落下すると、外管５の下端にある掛止具６の細孔７から浸入した空気は、内管４の外面と外管５の内面との間隙を通り、外管５の上端にある掛止具６の細孔７からペットボトル内に浸入し、ペットボトル内に気泡となって浮上する。ここで、外管５両端の掛止具６の細孔７は内管４の両端の開口部と比較して開口面積が狭く、内管４の外面に塗布した撥水性の高い合成樹脂により、空気で満たされた内管４の外面と外管５の内面との間隙は空気のみの通過路となる。すなわち、内管４にはすでに水が充満しているので、傍に抵抗の少ない空気の通過路ができた以上は水を押しのけて内管４に空気を通すことはない。
【００３３】
やがて、導水容器１０内の水位が規定値を越える、すなわち、外管５の下端が水２に浸されると、空気を吸入することができなくなり、ペットボトルからの給水が止まることとなる。また、導水容器１０内の水２が、木炭ボード８に吸い上げられ、蒸発することにより、導水容器１０内の水位が低くなる。これにより、外管５の下端が空気に曝され、内管４の外面と外管５の内面との間隙による空気路がすでに構成されているので、ペットボトルからの給水が再び行われる。なお、この第１の実施形態においては、導水容器１０内の水位の規定値を、導水容器１０の内径に対して三分の二程度の水位となるように、外管５の下端を配置している。
【００３４】
多孔質の木炭ボード８は、毛細管現象が顕著であるために、導水容器１０内の水２に浸されていることで、木炭ボード８の上面８ｅに向かって導水容器１０内の水２を吸い上げる。
ここで、木炭ボード８には、木炭ボード８の長手方向に沿って複数の貫通孔８ｃを形成していることで、木炭ボード８の上面８ｅ側にある押え金具１３に到達する過多な水分の吸い上げを抑制することができる。これにより、押え金具１３を伝って、押え金具１３の端部の最下点、すなわち、木炭ボード８の背面８ｂ側であり、押え金具１３と伝導部材１１との境界から床に落下する水滴の発生を抑制することができる。
【００３５】
また、押え金具１３の端部から水滴が床に落下しないように、押え金具１３と伝導部材１１との境界を滑らかな接合面とすることで、押え金具１３に到達する水分を、押え金具１３の端部から伝導部材１１に伝え、伝導部材１１を伝ってスリット１０ａを介して導水容器１０内に還元することができる。なお、押え金具１３と伝導部材１１との境界を滑らかな接合面とするために、例えば、耐水性のある粘着テープで、押え金具１３の端部を伝導部材１１に貼り付けてもよい。
【００３６】
また、押え金具１３によって、木炭ボード８の上面８ｅ側ではなく側面８ｆ側で、伝導部材１１を固定することで、押え金具１３に到達する水分を、押え金具１３を伝ってスリット１０ａを介して導水容器１０内に還元することができるので、複数の貫通孔８ｃを木炭ボード８の長手方向に沿って形成する必要がない。
【００３７】
暖房装置９の吹き出し口９ａからの温風が、木炭ボード８の表面８ａに当たると、一部の温風が木炭ボード８の下側に流れ、他の一部の温風が木炭ボード８の上側に流れることとなる。また、木炭ボード８には、複数の貫通孔８ｃを形成していることで、貫通孔８ｃを通過して木炭ボード８の背面側にも温風が流れることとなり、木炭ボード８の背面８ｂに抜ける調和空気の貫通流量を増加させることができる。特に、暖房装置９前方に位置する約２畳の面積の床面は、吹き出し口９ａから出る強風のために、用途が制限されていたが、木炭ボードが強風を遮るので、風量設定の自由度が大幅に改善される。
【００３８】
暖房装置９の吹き出し口９ａからの温風は、木炭ボード８の表面８ａに配設した伝導部材１１の網目を通過し、木炭ボード８の表面８ａに触れることで、木炭ボード８に含まれた水分の気化を促がす。また、木炭ボード８の貫通孔８ｃを通過した温風は、木炭ボード８の背面８ｂに配設した伝導部材１１の網目に当たり、木炭ボード８の背面８ｂと伝導部材１１との間隙１２を伝播して、木炭ボード８の背面８ｂ側から木炭ボード８に含まれた水分の気化を促がす。
【００３９】
したがって、木炭ボード８の表面８ａのみならず背面８ｂにも、温風を当たることができ、温風が当たる木炭ボード８の表面積を増加させることで、木炭ボード８に含まれた水分の蒸発を促進することができる。
【００４０】
ところで、前述した説明では、温風による木炭ボード７の加湿の効果について説明したが、木炭ボード８は、化学物質の吸着性能、消臭性能及び調湿性能により、室内の空気質を高める働きがあり、シックハウス症候群を引き起こす、建材、塗料又は家具などから発生するホルムアルデヒドなどの揮発性有機化学物質を木炭ボード８が吸収する効果もある。したがって、この第１の実施形態における加湿器は、冬季の暖房時だけでなく、年間を通して、冷暖房機能を備えているエアコンに取り付けておいても構わない。
【００４１】
以上のように、この発明の第１の実施形態にかかわる加湿器具によれば、導水容器１０内の水２に浸した木炭ボード８を、暖房装置９の吹き出し口９ａに対向して配設させ、貫通孔８ｃを覆って、木炭ボード８の背面８ｂに間隙１２を介して伝導部材１１を配設することで、暖房装置９の吹き出し口９ａから吹き出された温風によって、木炭ボード８が含んだ水分を木炭ボード８の表面８ａで気化させ、さらに、木炭ボード８の表面８ａに到達する温風のうち、一部の温風を貫通孔８ｃから背面８ｂと伝導部材１１との間隙１２に送風させ、木炭ボード８が含んだ水分を木炭ボード８の背面８ｂでも気化させることができるので、効率よく室内に対して加湿することができる。また、気化した水蒸気を暖房装置９の送風によって室内に循環させ、体感温度を上げて、快適な室内環境にすることができる。
【００４２】
なお、本発明の他の実施形態として、図８に示すように、押え金具１３の端部から水滴が床に落下しないように、押え金具１３と伝導部材１１との間に耐水性の樹脂テープ１８を木炭ボード８の上端部全周に亘って巻回することで、木炭ボード８の上端部における過多な水分の吸い上げを抑制できると共に、樹脂テープ１８の端部から伝導部材１１に伝え、伝導部材１１を伝ってスリット１０ａを介して導水容器１０内に還元することができる。図８（ａ）は本発明の他の実施形態における木炭ボードを表面側からみた平面図、図８（ｂ）は図８（ａ）に示す木炭ボードの矢視Ｂ−Ｂ線の部分断面図である。
【００４３】
なお、本発明のさらに他の実施形態として、図９及び図１０に示すように、木炭ボード８の替わりに、素焼製の素焼ボード１９や竹炭を主成分とする竹炭ボードなどの多孔質の調湿ボードを用いることで木炭ボード８と同様の作用効果を得ることができる。図９（ａ）は本発明の他の実施形態における素焼ボードを表面側からみた平面図、図９（ｂ）は図９（ａ）に示す素焼ボードの矢視Ｃ−Ｃ線の部分断面図、図１０（ａ）は本発明の他の実施形態における伝導部材を取り付けた素焼ボードを表面側からみた平面図、図１０（ｂ）は図１０（ａ）に示す素焼ボードの矢視Ｄ−Ｄ線の部分断面図である。
【００４４】
素焼ボード１９は、表面１９ａ、背面１９ｂ、下面２０ｄ、上面２０ｅおよび側面２０ｆからなる直方体形状であり、暖房機能があるエアコンやファンヒーターなどの暖房装置９の吹き出し口９ａに対向して表面１９ａを配置し、表面１９ａに対向する背面１９ｂ及び表面１９ａ間を貫通する貫通孔１９ｃを有している。また、貫通孔１９ｃは、素焼ボード１９の長手方向に沿って複数の孔を形成しており、前述した導水容器１０の長手方向と一致する方向に沿って複数の孔を形成している。
【００４５】
なお、貫通孔１９ｃは、素焼ボード１９の表面１９ａ及び背面１９ｂに対して垂直に貫通した円柱形状としているが、この形状に限られるものではなく、暖房装置９の吹き出し口９ａからの温風を貫通孔１９ｃによって背面１９ｂ側に導ければよい。また、貫通孔１９ｃの形状、大きさ及び個数は任意に設定すればよく、貫通孔１９ｃを通過する温風の流量を調節することも可能である。
【００４６】
また、素焼ボード１９の表面１９ａ、裏面１９ｂ及び上面８ｅには、伝導部材１１を嵌合するために、凹部１９ｇが形成されており、伝導部材１１を素焼ボード１９にボルト２０及びワッシャー２１とナット２２とで締着している。これにより、押え金具１３を用いることなく、伝導部材１１を素焼ボード１９に固定することができ、無くした押え金具１３を伝って、押え金具１３と伝導部材１１との境界から床に落下する水滴の発生を防止することができる。
【００４７】
また、視覚を通じて美感を起こさせるために、図形や絵などのイラストを付した布製又は紙製の調湿材を、素焼ボード１９の背面１９ｂに貼り付けることもできる。この場合に、過多な水分が布製又は紙製の調湿材の下端から水滴として落下することもありえるので、既存の結露水吸水テープを、素焼ボード１９の背面１９ｂ側の凹部１９ｇの下端部と背面１９ｂの上端部との間に貼り付けることで、水滴の発生を抑え、結露水吸水テープで吸収した水分を蒸発させることができる。
【実施例】
【００４８】
図１１は第１の実施形態における加湿器具付きエアコンを運転させた場合の室内の温度及び湿度の変化を示した折れ線グラフである。図１１において、実線の折れ線は湿度、破線の折れ線は温度をそれぞれ示している。また、横軸は３０分間隔で目盛を示した時間軸であり、縦軸において、実線に対応する単位は湿度［％］、破線に対応する単位は温度［℃］、をそれぞれ示している。
鍼・灸・マッサージ診療室の室内に設置したエアコンに、第１の実施形態における加湿器具を取り付け、２００６年２月１１日午前１１時４９分から２００６年２月１４日１１時４９分までの室内の温度及び湿度を計測した。
【００４９】
図１１に示すように、２００６年２月１２日の室温は、午前７時頃が一番低く、１３日は３℃まで下がっている。
例えば、１２日の午前１１時４９分からの６時間と、１３日の午前９時４９分からの１０時間とは、室温が上昇しておりピークは２６℃に達している。この間に、２人以上の来客があり治療を行ったことを示す。
【００５０】
待機中はエアコンの暖房運転は行っていないために、室温は下がり、湿度は約６０％以上になっている。エアコンの暖房運転を始めると、室温の上昇と共に相対湿度も下がって最低で２５％となっている。その後、第１の実施形態における加湿器具の効果で３５％になっている。
【００５１】
営業時間外は、エアコンの電源を切ってしまうので室温が徐々に下がって、それに反して湿度が上がり、最高で６５％とになっている。
なお、１１日から１３日までは、異常乾燥警報が発令された晴の天気で、１４日は朝から雨の天気であった。
また、第１の実施形態における加湿器具を取り付けない場合に設定温度を２４℃にしていた室内は、第１の実施形態における加湿器具を取り付けることで１６℃でも快適な室内環境であった。
また、しばらくの間、加湿暖房を続けると、室温は１６℃近くになる。湿度は、一旦は３０％以下になり、加湿効果で３５％程度に上昇するが、過剰な加湿にはならない。
【図面の簡単な説明】
【００５２】
【図１】この発明を実施するための第１の実施形態における加湿器具を示す概略構成図である。
【図２】図１に示す加湿器具の矢視ＩＩ−ＩＩ線の部分断面図である。
【図３】図１に示すノズルの拡大図である。
【図４】木炭ボードを示した図であり、（ａ）は木炭ボードを表面側からみた平面図、（ｂ）は図４（ａ）に示す木炭ボードの矢視Ａ−Ａ線の部分断面図である。
【図５】この発明を実施するための第１の実施形態における加湿器具をエアコンに取り付けた例を示した斜視図である。
【図６】図５に示す加湿器具をエアコンに取り付けるための取り付け用具を示す概略構成図である。
【図７】図６に示す取り付け用具である回転板を回転させた状態を示した説明図である。
【図８】本発明の他の実施形態における木炭ボードを示した図であり、（ａ）は木炭ボードを表面側からみた平面図、（ｂ）は図８（ａ）に示す木炭ボードの矢視Ｂ−Ｂ線の部分断面図である。
【図９】本発明の他の実施形態における素焼ボードを示した図であり、図９（ａ）は素焼ボードを表面側からみた平面図、（ｂ）は図９（ａ）に示す素焼ボードの矢視Ｃ−Ｃ線の部分断面図である。
【図１０】本発明の他の実施形態における伝導部材を取り付けた素焼ボードを示した図であり、（ａ）は素焼ボードを表面側からみた平面図、（ｂ）は図１０（ａ）に示す素焼ボードの矢視Ｄ−Ｄ線の部分断面図である。
【図１１】第１の実施形態における加湿器具付きエアコンを運転させた場合の室内の温度及び湿度の変化を示した折れ線グラフである。
【符号の説明】
【００５３】
１    給水槽
２    水
３    ノズル
４    内管
５    外管
６    掛止具
７    細孔
８    木炭ボード
８ａ  表面
８ｂ  背面
８ｃ  貫通孔
８ｄ  下面
８ｅ  上面
８ｆ  側面
９    暖房装置
９ａ  吹き出し口
１０  導水容器
１０ａ  スリット
１０ｂ  導水口
１１  伝導部材
１２  間隙
１３  押え金具
１４  固定板
１５  対向部
１５ａ  凹部
１６  回転板
１７  支持金具
１７ａ  凸部
１８  樹脂テープ
１９  素焼ボード
１９ａ  表面
１９ｂ  背面
１９ｃ  貫通孔
１９ｄ  下面
１９ｅ  上面
１９ｆ  側面
１９ｇ  凹部
２０  ボルト
２１  ワッシャー
２２  ナット
【図１】
2007278576.tif 000003
【図２】
2007278576.tif 000004
【図３】
2007278576.tif 000005
【図４】
2007278576.tif 000006
【図５】
2007278576.tif 000007
【図６】
2007278576.tif 000008
【図７】
2007278576.tif 000009
【図８】
2007278576.tif 000010
【図９】
2007278576.tif 000011
【図１０】
2007278576.tif 000012
【図１１】
2007278576.tif 000013